(57)【要約】【課題】この発明はスプリングユニットの屈曲性を向上させるようにしたマットレス装置を提供することにある。【解決手段】ばね体２を連結して屈曲可能に構成されたスプリングユニット１と、スプリングユニットの上下面の周縁部の幅方向両側の長手方向中途部を除く部分に設けられた枠線８と、スプリングユニットの外周部に沿って設けられその外周部を補強する弾性補強部材１１と、スプリングユニットの上下面に設けられた弾性シート１５と、弾性シートとスプリングユニットを被覆した外装体１７を具備する。【選択図】      図１
2010017522.tif 000002
【特許請求の範囲】
【請求項１】
ばね体を連結して屈曲可能に構成されたスプリングユニットと、
このスプリングユニットの上下面の周縁部の幅方向両側の長手方向中途部を除く部分に設けられた枠線と、
上記スプリングユニットの外周部に沿って設けられその外周部を補強する弾性補強部材と、
上記スプリングユニットの上下面に設けられた弾性シートと、
この弾性シートと上記スプリングユニットを被覆した外装体と
を具備したことを特徴とするマットレス装置。
【請求項２】
上記弾性補強部材の外面及び上下面を覆って上記スプリングユニットに連結され上記弾性補強部材が上記スプリングユニットの外周部から脱落するのを阻止する保持部材を備えていることを特徴とする請求項１記載のマットレス装置。
【請求項３】
上記弾性補強部材は上記スプリングユニットの少なくとも幅方向両側においてこのスプリングユニットの外周面よりも外方へ突出する幅寸法に設定されていることを特徴とする請求項１記載のマットレス装置。
【請求項４】
上記弾性補強部材の内面には、上記スプリングユニットの周辺部に位置するばね体のコイル部間に入り込む凸部が設けられていることを特徴とする請求項１記載のマットレス装置。
【請求項５】
上記弾性補強部材には上記スプリングユニットの内部と外部を連通する空気孔が厚さ方向に貫通して形成されていることを特徴とする請求項１記載のマットレス装置。
【請求項６】
上記ばね体は、１本の線材によって複数のコイル部が上部連結杆部と下部連結杆部とによって連続して形成されていて、上記スプリングユニットは複数の上記ばね体を並設してヘリカル線によって連結して形成されていることを特徴とする請求項２記載のマットレス装置。
【請求項７】
上記スプリングユニットは２つに折り曲げ可能となっていて、
上記外装体は一端面が開口した２つの袋部からなり、これら袋部は開口した端面の一側辺が連結され他の側辺には開口した端面を閉塞するフランジ布が設けられていて、
上記スプリングユニットは、２つに折り曲げた状態でその一端部側と他端部側を上記一対の袋部にそれぞれ挿入した後、各袋部の開口を上記フランジ布で閉塞して上記外装体によって被覆されることを特徴とする請求項１記載のマットレス装置。
【発明の詳細な説明】
【技術分野】
【０００１】
この発明はたとえば床板の一部を起伏駆動することができる起床式ベッド装置に用いられるマットレス装置に関する。
【背景技術】
【０００２】
一般に、マットレス装置は多数のコイルスプリングを行列状に配置し、隣り合うコイルスプリングの上下端面をそれぞれヘリカル線によって連結して形成された平面形状が矩形状のスプリングユニットを有する。このスプリングユニットの上下面にはシート状の弾性材が積層され、この積層体を袋状に縫製された布製の外装体によって被覆して上記マットレス装置が構成される。
【０００３】
上記スプリングユニットの上下面周縁には、コイルスプリングの連結度合が少ない周辺部に位置するコイルスプリングを補強したり、マットレス装置の外形状を維持するなどのために硬い線材によって形成された枠線を設けるようにしている。
【０００４】
このように構成されたマットレス装置はベッド装置の床板上に載置して利用される。ベッド装置には病人や老人などのように自力で起上ることが困難な人が利用する、所謂起床式ベッド装置がある。
【０００５】
起床式ベッド装置は床板が複数の床部に分割されて互いに回動可能に連結されていて、そのうちの少なくとも利用者の背部に対応する床部、つまり背上げ床部は駆動装置によって起伏駆動されるようになっている。それによって、マットレス装置に仰臥した利用者は起上する背上げ床部によって屈曲されるマットレス装置を介して上半身が起こされることになる。
【０００６】
このような起床式ベッド装置に用いられるマットレス装置は上記床板の背上げ床部の起伏に応じて屈曲する構成でなければならない。しかしながら、スプリングユニットの上下面の周縁部の全長にわたって枠線を設けると、その枠線がスプリングユニットの円滑な屈曲を阻止するということがあった。
【０００７】
そこで、特許文献１では、スプリングユニットの上下面の周縁部の全長にわたって設けられる枠線を、上記スプリングユニットの両側の長手方向中途部において分断したり、除去するようにしている。
【特許文献１】特開平１０−３３７２３４号公報
【発明の開示】
【発明が解決しようとする課題】
【０００８】
枠線をスプリングユニットの両側の長手方向中途部において分断すれば、その分断箇所においてスプリングユニットは屈曲可能となる。しかしながら、スプリングユニットの両側の長手方向中途部には分断された枠線の一部が残るから、その枠線によってスプリングユニットの長手方向中途部の自由な屈曲が制限を受けるということがある。つまり、屈曲可能な部分が枠線の分断箇所だけとなってしまう。
【０００９】
そのため、枠線の分断箇所が背上げ床部の回動の支点となる部分からずれると、背上げ床部を起上させたときに、マットレス装置を円滑に屈曲させることができないということがある。
【００１０】
スプリングユニットの両側の長手方向中途部から枠線を除去すれば、分断した場合のようにスプリングユニットの屈曲が制限を受けるのを防止することができる。しかしながら、枠線を除去すると、スプリングユニットの両側の長手方向中途部の硬さが大幅に低下するから、安定性が損なわれたり、実効使用面積が減少するなど、マットレス装置の性能が低下するということがある。
【００１１】
とくに、起床式ベッド装置に用いられるマットレス装置の場合、利用者は老人や身体の不自由な人が多い。そのため、そのような人がマットレス装置に載り降りするとき、スプリングユニットの両側の枠線が除去された長手方向の中途部に腰掛けたり、手を付いたりすると、その部分が大きく変形し、利用者の身体を確実かつ安定した状態で支えることができないということがある。
【００１２】
この発明は、スプリングユニットの両側の長手方向中途部の枠線を除去して屈曲し易くした場合に、枠線が除去された部分の屈曲性を損なうことなく、その部分を確実に補強することができるようにしたマットレス装置を提供することにある。
【課題を解決するための手段】
【００１３】
この発明は、ばね体を連結して屈曲可能に構成されたスプリングユニットと、
このスプリングユニットの上下面の周縁部の幅方向両側の長手方向中途部を除く部分に設けられた枠線と、
上記スプリングユニットの外周部に沿って設けられその外周部を補強する弾性補強部材と、
上記スプリングユニットの上下面に設けられた弾性シートと、
この弾性シートと上記スプリングユニットを被覆した外装体と
を具備したことを特徴とするマットレス装置にある。
【００１４】
上記弾性補強部材の外面及び上下面を覆って上記スプリングユニットに連結され上記弾性補強部材が上記スプリングユニットの外周部から脱落するのを阻止する保持部材を備えていることが好ましい。
【００１５】
上記弾性補強部材は上記スプリングユニットの少なくとも幅方向両側においてこのスプリングユニットの外周面よりも外方へ突出する幅寸法に設定されていることが好ましい。
【００１６】
上記弾性補強部材の内面には、上記スプリングユニットの周辺部に位置するばね体のコイル部間に入り込む凸部が設けられていることが好ましい。
【００１７】
上記弾性補強部材には上記スプリングユニットの内部と外部を連通する空気孔が厚さ方向に貫通して形成されていることが好ましい。
【００１８】
上記ばね体は、１本の線材によって複数のコイル部が上部連結杆部と下部連結杆部とによって連続して形成されていて、上記スプリングユニットは複数の上記ばね体を並設してヘリカル線によって連結して形成されていることが好ましい。
【００１９】
上記スプリングユニットは２つに折り曲げ可能となっていて、
上記外装体は一端面が開口した２つの袋部からなり、これら袋部は開口した端面の一側辺が連結され他の側辺には開口した端面を閉塞するフランジ布が設けられていて、
上記スプリングユニットは、２つに折り曲げた状態でその一端部側と他端部側を上記一対の袋部にそれぞれ挿入した後、各袋部の開口を上記フランジ布で閉塞して上記外装体によって被覆されることが好ましい。
【発明の効果】
【００２０】
この発明によれば、屈曲可能に構成されたスプリングユニットの上下面の周縁部の幅方向両側の長手方向中途部を除く部分に枠線を設けるとともに、スプリングユニットの外周部に沿ってその外周部を補強する硬さを備えた弾性補強部材を設けるようにした。
【００２１】
そのため、スプリングユニットの幅方向両側の長手方向中途部から枠線が除去して屈曲性能を向上させるようにしても、スプリングユニットの外周部に設けられた弾性補強部材によってスプリングユニットの周辺部の硬さが低下するのを防止することができる。
【発明を実施するための最良の形態】
【００２２】
以下、この発明の一実施の形態を図面を参照しながら説明する。  
図１に示すマットレス装置はスプリングユニット１を備えている。このスプリングユニット１は、図２に示すように複数のばね体２を並設し、図５に示すようにこれらばね体２の上端面側と下端面側を、並設方向と交差する幅方向にヘリカル線３によって連結して平面形状が矩形状に形成されている。
【００２３】
図５に示すように、上記ばね体２は一本の鋼線などの線材によって複数のコイル部４が形成されていて、隣り合う一対のコイル部４は上端が上部連結杆５によって連続され、下端が下部連結杆６によって連続されている。
【００２４】
上記構成のスプリングユニット１は、図１と図２に示すように上下面周縁部の幅方向両側の長手方向中途部を除く部分、つまり長手方向の両端部にほぼコ字状に形成された枠線８がクリップ９によって連結されている。
【００２５】
上記枠線８をスプリングユニット１の長手方向の両端部だけに設けることで、このスプリングユニット１は長手方向の中途部の枠線８が設けられていない部分が長手方向に屈曲可能となっている。
【００２６】
つまり、上記ばね体２は隣り合う一対のコイル部４の上端と下端がそれぞれ上部連結杆５と下部連結杆６によって連結されている。そのため、スプリングユニット１は、ばね体２の枠線８が設けられていない部分に対応する上部連結杆５或いは下部連結杆６を弾性変形させて上方向或いは下方向に屈曲させることができるようになっている。
【００２７】
なお、ばね体２の上端面側と下端面側のうち、下端面側をヘリカル線３によって連結しないようにすれば、スプリングユニット１を上方向に対して大きく屈曲させることができる。
【００２８】
とくに、スプリングユニット１を、一本の鋼線などの線材によって複数のコイル部４が形成されていて、隣り合う一対のコイル部４の上端が上部連結杆５によって連続され、下端が下部連結杆６によって連続されたばね体２によって形成すれば、このスプリングユニット１を長手方向中途部から２つに折り曲げることが可能となる。
【００２９】
スプリングユニット１の周縁部の枠線８が設けられた部分はその枠線８によって補強される。とくに、スプリングユニット１の長手方向の両端部に幅方向全長にわたって枠線８が設けられていることで、上記スプリングユニット１の長手方向両端部が幅方向に捩れて変形するのが防止される。
【００３０】
上記スプリングユニット１の外周面には全長にわたって弾性補強部材１１が設けられている。この弾性補強部材１１は弾性変形可能であるとともに、比較的硬質な弾性材料、たとえばチップウレタンなどによって形成されている。
【００３１】
上記弾性補強部材１１はスプリングユニット１の各側辺毎に分割され、幅方向両側に設けられた一対の弾性補強部材１１に長手方向両側に設けられた各弾性補強部材１１の両端が接着固定されている。なお、図２に示すように幅方向両側の弾性補強部材１１は長手方向両側の弾性補強部材１１よりも幅寸法が大きくなっている。
【００３２】
なお、スプリングユニット１を構成するばね体２の下端面側のヘリカル線３を除去し、このスプリングユニット１を長手方向中途部から２つに折り曲げることができるようにする場合、スプリングユニット１の幅方向両側に設けられる弾性補強部材１１の長手方向中途部に切り込みを入れるようにする。それによって、スプリングユニット１は弾性補強部材１１とともに長手方向中途部から２つに折り曲げることが可能となる。
【００３３】
上記弾性補強部材１１の内面には、上記スプリングユニット１の周辺部に位置するばね体２のコイル部４間に入り込んでコイル部４を補強する断面三角形状の補強凸部１２が設けられている。各弾性補強部材１１はその補強凸部１２をコイル部４間に入り込ませた状態において、上下面がスプリングユニット１の外周面から外方へ突出する幅寸法に設定されている。
【００３４】
なお、各弾性補強部材１１はプリングユニット１の外周に位置するばね体２のコイル部４間に入り込む部分だけとし、スプリングユニット１の外周面から外方へ突出する部分がない形状であってもよい。弾性補強部材１１をこのような形状にすれば、弾性補強部材１１をスプリングユニット１の外周部に設けることで、マットレス装置の最終的な大きさをスプリングユニット１の大きさと同じにすることができる。
【００３５】
図２に示すように、上記スプリングユニット１の幅方向両側に設けられた一対の弾性補強部材１１には長手方向に所定間隔で厚さ方向に貫通する複数の通気孔１１ａが形成されている。それによって、スプリングユニット１の上下面に後述する弾性シート１５を設けて上記スプリングユニット１の表面全体を上記弾性補強部材１１と弾性シート１５で被覆しても、上記通気孔１１ａによってスプリングユニット１の内部と外部を連通させることができるようになっている。
【００３６】
上記スプリングユニット１の周辺部に弾性補強部材１１を設けることで、このスプリングユニット１の周辺部が補強される。とくに、スプリングユニット１の両側の枠線８が除去された長手方向中途部では、上記弾性補強部材１１が枠線８に代わってスプリングユニット１を補強することになる。
【００３７】
図１に示すように、上記スプリングユニット１の周辺部に設けられた上記弾性補強部材１１の外面及び上下面は帯状の布地からなる保持部材１４によって覆われている。この保持部材１４の上記弾性補強部材１１の上面を覆った部分の端部と、下面を覆った部分の端部はそれぞれ枠線８或いは枠線８のない部分ではばね体２の上部連結杆５と下部連結杆６にクリップ９によって連結され、弾性補強部材１１の外面を覆った部分の高さ方向の中途部は長手方向の複数箇所がワイヤ１３によってスプリングユニット１の周辺部に位置するばね体２のコイル部４に連結されている。
【００３８】
上記保持部材１４をクリップ９及びワイヤ１３によってスプリングユニット１に連結すれば、上記弾性補強部材１１がスプリングユニット１に一体的に保持される。そのため、たとえばスプリングユニット１に圧縮荷重が加わったときなどに、上記弾性補強部材１１がスプリングユニット１の周辺部から脱落するのが上記保持部材１４によって防止される。つまり、スプリングユニット１の周辺部は弾性補強部材１１によって確実に補強される。
【００３９】
上記スプリングユニット１の上下面にはウレタンフォームなどの上記弾性シート１５がサイザルや圧縮綿などの保護材１６を介して積層され、この積層体は布地を袋状に縫製した外装体１７によって被覆される。なお、上下一対の弾性シート１５の周辺部は、上記弾性補強部材１１の上面及び下面にそれぞれ接着固定されている。
【００４０】
上記外装体１７は弾性シート１５を被覆した上下一対の鏡地１７ａと、弾性補強部材１１の外周綿を被覆したまち地１７ｂと、このまち地１７ｂの上下端と上記一対の鏡地１７ａの周縁部を縫着したテープエッジ１７ｃとからなる。
【００４１】
なお、上述したように、スプリングユニット１の下面側のヘリカル線３を除去し、幅方向両側に設けられる弾性補強部材１１の中途部に切込みを入れ、上記スプリングユニット１を長手方向の中途部で大きく折り曲げることができるようにする場合、図６に示すようにスプリングユニット１の下面側に設けられる弾性シート１５の長手方向中途部を幅方向に沿って分断する。
【００４２】
上記スプリングユニット１の長手方向の中途部の弾性シート１５が分断された箇所に対応する部分の下面には、スプリングユニット１の幅方向全長にわたって鋼線からなる一対の補強杆２１を、ばね体２のコイル部４の下端面にクリップ２２で連結して設ける。上記補強杆２１は両端部がＬ字状に曲成され、平面形状がコ字状になっている。
【００４３】
さらに、上記外装体１７の下側の鏡地１７ａの長手方向中途部は折り曲げられてばね体２の隣り合うコイル部４間に挿入され、その折曲げ部分は保持布２３によって覆われている。この保持布２３の頂部には連結布２３ａの一端が縫着され、この連結布２３ａの他端はクリップ２４によってばね体２のコイル部４に保持されている。
【００４４】
上記ばね体２の隣り合うコイル部４の一部は絡まっているが、下側の鏡地１７ａの折曲げ部分が挿入される箇所は、隣り合うコイル部４が絡むことなく分離されている。したがって、スプリングユニット１を長手方向の中途部の下側の弾性シート１５が分断された箇所で、たとえば２つ折りとなる状態まで、大きく折り曲げることができる。
【００４５】
なお、図６においてはスプリングユニット１の下面に保護材１６が設けられていないが、保護材１６を設けるようにしてもよい。
【００４６】
上記構成のマットレス装置は図示しない背上げ式ベッド装置の床板上に載置して利用される。背上げ式ベッド装置は固定床部に回動可能に連結された背上げ床部を有し、この背上げ床部は駆動機構によって起伏駆動されるようになっている。そして、上記マットレス装置は長手方向の中途部、すなわち枠線８が除去された部分が上記固定床部と背上げ床部の連結部分に対応するよう床板上に載置される。
【００４７】
それによって、上記背上げ床部が起上方向に駆動されれば、その起上に応じてマットレス装置は枠線８が設けられていない部分で屈曲することになる。つまり、マットレス装置は、スプリングユニット１の両側の長手方向中途部に枠線８が設けられていない部分があるから、その部分を容易に屈曲させることができる。
【００４８】
スプリングユニット１の周辺部の枠線８が設けられていない部分は周辺部の枠線８が設けられた部分に比べて硬さが大きく低下するため、周辺部の枠線８が設けられた部分と同じように使用できなくなって、実効使用面積が減少したり、その部分に利用者が手を付いたり、腰掛けた場合に安定性が損なわれるということがある。
【００４９】
しかしながら、スプリングユニット１の周辺部には全長にわたって弾性補強部材１１を設け、周辺部を補強している。そのため、スプリングユニット１の枠線８が設けられていない両側の中途部の硬さが弾性補強部材１１の硬さによって弾性的に補強されているから、マットレス装置の実効使用面積が減少するのを防止するばかりか、利用者がマットレス装置の枠線８が設けられていない両側の中途部に腰掛けたり、手を付くなどしても、安定性が大きく損なわれるということがない。
【００５０】
しかも、弾性補強部材１１は発泡ウレタンに比べて硬質ではあるが、屈曲可能な弾性を有するウレタンチップによって形成されているから、スプリングユニット１の枠線８が除去された部分の屈曲性を大きく損なうということがない。
【００５１】
スプリングユニット１の外周部に設けられた弾性補強部材１１は保持部材１４によってスプリングユニット１に保持されている。そのため、マットレス装置が繰り返して屈曲されたり、周辺部に圧縮荷重が繰り返して加えられたりしても、上記弾性補強部材１１がスプリングユニット１の周辺部から脱落するということがない。つまり、上記補強弾性部材１１によってスプリングユニット１の周辺部を確実に補強することができる。
【００５２】
上記補強弾性部材１１の内面にはスプリングユニット１の周辺部に位置するばね体２のコイル部４に入り込む補強凸部１２が設けられている。そのため、スプリングユニット１の周辺部は上記補強凸部１２によってさらに弾性的に補強されることになる。つまり、スプリングユニット１の周辺部の補強の度合が向上するから、そのことによってもスプリングユニット１の実効使用面積を拡大することができる。
【００５３】
上記補強弾性部材１１の上下面を、スプリングユニット１の上下面に積層される弾性シート１５の周辺部に接着固定したから、そのことによっても補強弾性部材１１がスプリングユニット１の周辺部から脱落するのを防止することができる。
【００５４】
上記補強弾性部材１１の上下面を弾性シート１５の周辺部に接着固定することで、スプリングユニット１は密閉される。しかしながら、上記補強弾性部材１１には通気孔１１ａが形成されている。そのため、スプリングユニット１に荷重が加わったときに、スプリングユニット１が収容された、上記補強弾性部材１１と弾性シート１５によって形成された空間部内の空気が上記通気孔１１ａから外部に排出されるから、上記空間部内の圧力が上昇してスプリングユニット１の圧縮変形を妨げるということがないばかりか、空間部内に湿気がこもるのも防止される。
【００５５】
上記弾性補強部材１１は上記スプリングユニット１の外周面よりも外方へ突出する幅寸法に設定されている。そのため、利用者がマットレス装置の周辺部に腰掛けたり、手を掛けた場合、上記弾性補強部材１１の柔らかさが利用者に伝わり、スプリングユニット１の周縁部の硬さが利用者に伝わり難い。つまり、弾性補強部材１１の柔らかな感触によって利用者に不快感を与えることがない。
【００５６】
図７はこの発明の他の実施の形態を示す。この実施の形態は、図６に示すようにスプリングユニット１を長手方向の中途部で２つに折り曲げることができるようにした場合に適用することができる外装体２７である。この外装体２７は一端面が開口した２つの袋部２７ａ，２７ｂを有し、これら袋部２７ａ，２７ｂの開放した一端面の高さ方向の上端の側辺は幅方向全長にわたって連結されている。２つの袋部２７ａ，２７ｂを連結する手段は各袋部の２７ａ，２７ｂ上面側の布地を縫合したり、２つの袋部２７ａ，２７ｂの上面側の布地を１枚ものとして連続させるなどすればよい。
【００５７】
各袋部２７ａ，２７ｂの開口端の上端を除く下端及び両側の他の３つの側辺にはそれぞれフランジ布２８ａが設けられている。開口面の幅方向に沿って設けられた最も長尺なフランジ布２８ａは各袋部２７ａ，２７ｂの開口とほぼ同じ大きさに形成されている。
【００５８】
そして、スプリングユニット１を同図に示すように２つに折り曲げた状態で、このスプリングユニット１の一端部１ａと他端部１ｂをそれぞれ外装体２７の各袋部２７ａ，２７ｂに挿入し、挿入後、各袋部２７ａ，２７ｂの開口に設けられたフランジ布２８ａを折り曲げて接着或いは縫合によって固定することで、各袋部２７ａ，２７ｂの開口を閉塞する。
【００５９】
ついで、折り曲げられたスプリングユニット１を展開すれば、スプリングユニット１は、このスプリングユニット１を長手方向中途部で折り曲げ可能に分断された外装体２７によって被覆されるから、上記スプリングユニット１を外装体２７によって制限を受けることなく、たとえば２つ折などのように大きく折り曲げることができる。
【００６０】
つまり、上記構成の外装体２７を用いることで、図６に示すようにスプリングユニット１の長手方向の中途部下面で外装体１７の下側の鏡地１７ａの一部をスプリングユニット１の内部に折り込むようなことなく、スプリングユニット１を大きく屈曲させることができるよう、被覆することができ、しかもその被覆作業を容易かつ迅速に行なうことが可能となる。
【００６１】
なお、図６に示すスプリングユニット１は長手方向中途部で２つに折り曲げることができるようにしたが、スプリングユニット１の長手方向の中途部に２つの折り曲げ可能な部分を形成し、そのスプリングユニット１の両端部をスプリングユニット１の上面側に折り畳むことができるような構成、つまりスプリングユニット１を３つに折り畳んで、全体の長さを２部の１にするような構成であってもよい。
【００６２】
その場合、図示しないが、外装体は両端面が開放した中央の袋部の両端に、一端が開放した２つの袋部が連結された３つの袋部によって形成し、各袋部の開口端の上端を除く下端及び両側の他の３つの側辺にはそれぞれフランジ布が設けられた構成とすればよい。
【図面の簡単な説明】
【００６３】
【図１】この発明の一実施の形態のマットレス装置の幅方向に沿う一部分の断面図。
【図２】スプリングユニットの平面図。
【図３】上記スプリングユニットの正面図。
【図４】上記スプリングユニットの側面図。
【図５】上記スプリングユニットを構成するばね体の一部を示す斜視図。
【図６】スプリングユニットを長手方向の中途部で大きく折り曲げることができるようにした場合の、上記スプリングユニットの長手方向の中途部の拡大断面図。
【図７】この発明の外装体の他の実施の形態を示す斜視図。
【符号の説明】
【００６４】
１…スプリングユニット、２…ばね体、４…コイル部、８…枠線、１１…弾性補強部材、１２…補強凸部、１５…弾性シート、１７…外装体。
【図１】
2010017522.tif 000003
【図２】
2010017522.tif 000004
【図３】
2010017522.tif 000005
【図４】
2010017522.tif 000006
【図５】
2010017522.tif 000007
【図６】
2010017522.tif 000008
【図７】
2010017522.tif 000009